(57)【特許請求の範囲】
【請求項１】
膨らませることが可能な構造物であって、中間部分で分けられた一方の部分と他方の部分を有し、前記中間部分に対して前記一方の部分と前記他方の部分とを畳むことができ、それにより、前記一方の部分と前記他方の部分とを同じ方向に前記中間部分から実質的に直角に延在させることが可能な膨らませることが可能な構造物を形成する、外縁に沿って互いに封止接合され、他の位置においても互いに封止接合された２枚のシートと、
前記中間部分に配置されるか、あるいは前記中間部分にオーバーラップするように配置された開口であって、患者の頭部がそこを通るのに十分な寸法を有し、それにより、前記中間部分が実質的に前記患者の肩に配置され、前記一方の部分が患者の前側に配置され、前記他方の部分が前記患者の後側に配置されるように構成された開口と、
前記構造物を膨らませるために挿入された空気を前記患者に向かって排出するように、前記患者に接触している前記シートに設けられた複数の孔と、
を有する下敷き及び上掛け用組合せ対流ブランケット。
【請求項２】
第１端部、第２端部及び破断可能なストリップとを備え、前記一方の部分、前記他方の部分及び前記中間部分が縦方向において前記第１端部と前記第２端部との間に配され、前記第１端部が前記一方の部分の端をなし、前記第２端部が前記他方の部分の端をなし、前記破断可能なストリップが前記一方の部分に沿って縦方向に前記第１端部から前記開口まで延在し、前記一方の部分が２つの部分に分割可能である、請求項１に記載の下敷き及び上掛け用組合せ対流ブランケット。
【請求項３】
さらに、前記中間部分に設けられた少なくとも１つの空気入口を備え、前記入口によって、前記中間部分において当該ブランケットに空気を入れて、そこから空気を前記一方の部分と前記他方の部分に送って前記ブランケットを膨らませることを可能とする、請求項１に記載の下敷き及び上掛け用組合せ対流ブランケット。
【請求項４】
前記他方の部分が、前記患者が当該ブランケットに横たわる時に前記患者の体を受けるように構成された非膨張部を有し、前記他方の部分が前記患者の後側を支持し、前記中間部分に対して前記一方の部分を畳むことで、前記患者の上胴部前側の少なくとも一部を覆うことができる、請求項１に記載の下敷き及び上掛け用組合せ対流ブランケット。
【請求項５】
前記患者に接触するシートが有する複数の孔は、前記一方の部分と前記他方の部分が前記中間部分に対して実質的に直角にされて、少なくとも前記患者の前側と後側の対応する部分を覆っている時に、加熱された空気を前記患者の前側と後側を温めるために排出する、請求項１に記載の下敷き及び上掛け用組合せ対流ブランケット。
【請求項６】
さらに、前記中間部分に沿って横方向に延在する複数のシール部を備え、これにより前記中間部分に対して前記一方の部分と前記他方の部分とが容易に畳まれる、請求項１に記載の下敷き及び上掛け用組合せ対流ブランケット。
【請求項７】
前記複数のシール部には、空気入口を挟んで離間するように配置された少なくとも２つのシール部セットが含まれ、２つのシール部セットのそれぞれが開口部の各側部に配されて２つのシール列を有し、前記中間部分に対して前記一方の部分と前記他方の部分とをより容易に畳むことができる、請求項６に記載の下敷き及び上掛け用組合せ対流ブランケット。
【請求項８】
前記一方の部分と前記他方の部分が複数の縦シール部を有し、前記一方の部分と前記他方の部分の長さ方向に沿って空気の流れを縦に誘導する、請求項１に記載の下敷き及び上掛け用組合せ対流ブランケット。
【請求項９】
患者を温めるためのブランケットであって、
外縁に沿って互いに封止接合され、他の位置においても互いに封止接合された２枚のシートによって形成され、膨らませることが可能な構造物であって、第１水平端と第２水平端を有し、前記第１水平端と前記第２水平端により縦方向の長さが設定され、さらに前記構造物が第１垂直端と第２垂直端を有し、前記第１垂直端と前記第２垂直端により幅が設定される構造物を有し、
前記ブランケットは、中間部分を挟む一方の部分と他方の部分を有し、前記一方の部分と前記他方の部分とは、前記中間部分に対して実質的に直交する同じ方向に畳むことができ、
実質的に前記中間部分における前記第１垂直端と前記第２垂直端の間の位置にて前記構造物に開口が設けられ、前記開口は患者の頭部がそこを通るのに十分な寸法を有し、
前記構造物が、前記患者の頭部が前記開口から外へと突出するように患者に置かれ、前記中間部分に対して前記一方の部分と前記他方の部分とが畳まれた場合において、前記構造物の前記一方の部分が患者の体の前側の少なくとも一部を覆い、前記構造物の前記他方の部分が患者の体の後側の少なくとも一部を覆い、
前記構造物を膨らませるために挿入された空気を前記患者に向かって排出するように、前記患者に接触している前記シートに設けられた複数の孔を有するブランケット。
【請求項１０】
さらに、前記一方の部分に沿って縦方向に前記第１水平端から前記開口まで延在する破断可能なストリップを備え、前記一方の部分が２つの部分に分割可能である、請求項９に記載のブランケット。
【請求項１１】
さらに、前記中間部分に設けられた少なくとも１つの空気入口を備え、当該ブランケットを膨らますために、前記入口により、前記中間部分において当該ブランケットに空気を入れ、そこから空気を前記一方の部分と前記他方の部分に送ることが可能となる、請求項９に記載のブランケット。
【請求項１２】
前記他方の部分が、患者が当該ブランケットに横たわる時に患者の体を受けるように構成された非膨張部を有し、前記他方の部分が患者の後側を支持し、前記中間部分に対して前記一方の部分が畳まれて、患者の上胴部前側の少なくとも一部を覆うことができる、請求項９に記載のブランケット。
【請求項１３】
さらに、前記一方の部分と前記他方の部分が前記中間部分に対して実質的に直角にされて、少なくとも患者の体の前側と後側の対応する部分を覆っている時に、前記複数の孔が当該ブランケットに入れられた加熱された空気を前記患者の体の前側と後側を温めるために排出する、請求項９に記載のブランケット。
【請求項１４】
さらに、前記中間部分に沿って横方向に延在する複数のシール部を備え、これにより前記中間部分に対して前記一方の部分と前記他方の部分とが容易に畳まれる、請求項９に記載のブランケット。
【請求項１５】
前記複数のシール部には、空気入口を挟んで離間するように配置された少なくとも２つのシール部セットが含まれ、２つのシール部セットのそれぞれが開口部の各側部に配されて２つのシール列を有し、前記中間部分に対して前記一方の部分と前記他方の部分とをより容易に畳むことができる、請求項９に記載のブランケット。
【請求項１６】
外縁に沿って互いに封止接合され、他の位置においても互いに封止接合された２枚のシートによって形成され、空気によって膨らまされ、中間部分を挟んで流体移動可能に接続された一方の部分及び他方の部分を有する、対流ブランケットであって、
前記中間部分に対して、前記一方の部分と前記他方の部分とを、前記中間部分に実質的に直交する同じ方向に畳むことが可能であり、
実質的に前記中間部分に位置する開口を有し、患者の頭部を前記開口に通すことが可能であり、
当該ブランケットが、前記患者の頭部を前記開口に通して前記患者に配置され、前記一方の部分と前記他方の部分とが同じ方向に折られている時に、当該ブランケットはポンチョの形になるように構成され、
前記中間部分は実質的に前記患者の肩に対して配置され、前記一方の部分と前記他方の部分が少なくとも前記患者の体の前側と後側の対応する部分を覆い、
前記ブランケットを膨らませるために挿入された空気を前記患者の前側と後側に排出するように、前記患者に接触している前記シートに設けられた複数の孔を有する
対流ブランケット。
【請求項１７】
第１端部、第２端部及び破断可能なストリップを備え、前記一方の部分、前記他方の部分及び前記中間部分が縦方向において前記第１端部と前記第２端部との間に配され、前記第１端部が前記一方の部分の端をなし、前記第２端部が前記他方の部分の端をなし、前記破断可能なストリップが前記一方の部分に沿って縦方向に前記第１端部から前記開口まで延在させ、前記一方の部分が２つの部分に分割可能なことで、前記開口に対する患者の頭部の移動及び／または患者の上胴部の露出を可能である、請求項１６に記載の対流ブランケット。
【請求項１８】
さらに、前記中間部分に設けられた少なくとも１つの空気入口を備え、前記入口によって、前記中間部分において当該ブランケットに空気を入れて、そこから空気を前記一方の部分と前記他方の部分に送って前記ブランケットを膨らませることを可能とする、請求項１６に記載の対流ブランケット。
【請求項１９】
さらに、前記中間部分に沿って横方向に延在する複数のシール部を備え、これにより前記中間部分に対して前記一方の部分と前記他方の部分とが容易に畳まれる、請求項１６に記載の対流ブランケット。
【請求項２０】
ポンチョ型の対流ブランケットであって、
少なくとも外縁に沿って互いに接合された２枚の不透気性のシートによって形成される膨張可能な構造物と、
患者の頭部が通ることができる開口を有する中間部分によって接続された一方の部分と他方の部分を有するブランケットを備え、
前記一方の部分と他方の部分は、前記患者の前側と後側を覆うように前記中間部分から実質的に直角に同じ方向に沿って折り曲げることができ、
前記一方の部分と他方の部分から患者に対して、前記構造物内の空気を排出するために前記患者に接触するシートに設けられた複数の孔を有する対流ブランケット。
【発明の詳細な説明】
【技術分野】
【０００１】
本発明は、対流式加温ブランケット、より具体的には、ポンチョ形に構成可能な下敷き及び上掛け用組合せブランケットに関する。
【背景技術】
【０００２】
米国特許第５６７４２６９号に、患者を覆う、変形可能な弾性接触パネルにより被覆された、膨張可能な管が開示されている。患者の下面側は、しかしながら、ベッドまたはテーブルに接する。また公知技術として、椅子に座る患者により使用される熱ブランケットがある（米国特許第５６９７９６３号、同第５８００４８９号、及び同第７００１４１６号）。このブランケットは、患者の頭部を通す開口を有する。また、このブランケットは、患者の前側を温めるために患者の前側に置かれる。この種の熱ブランケットは、患者の後側を温めることはない。また、内部に加熱部を有し、患者により着用される下着も知られている。このような下着は、米国公開２００５／０１４３７９６号、同番号２００６／０１８４２１７号、同番号２００６／０１８４２１８、同番号２００７／００９３８８２、同番号２００７／００９３８８４、及び同番号２００７／００９３８８５に開示されている。患者の前側と後側の両方を覆う対流加温ブランケットは、現在市場には存在しない。
【先行技術文献】
【特許文献】
【０００３】
【特許文献１】米国公開２００５／０１４３７９６号
【特許文献２】米国公開２００６／０１８４２１７号
【特許文献３】米国公開２００６／０１８４２１８号
【特許文献４】米国公開２００７／００９３８８２号
【特許文献５】米国公開２００７／００９３８８４号
【特許文献６】米国公開２００７／００９３８８５号
【発明の概要】
【課題を解決するための手段】
【０００４】
本発明の対流加温ブランケットは、下敷き及び上掛け用組合せブランケットであり、下敷き部は上掛け部より長い。具体的には、このブランケットは、中間部分を挟む一方の部分と他方の部分を有する。一方の部分と他方の部分は、中間部分と実質的に直交する同方向に折ることができ、したがって、ブランケットはポンチョの形状をとる。一方の部分及び他方の部分は、ブランケットの第１部分及び第２部分と称してもよく、あるいはブランケットの前部及び後部と称してもよい。
【０００５】
従来から知られているように、ブランケットは２枚の不透気性層のシートから成る。２枚のシートは、外縁部及び他の位置において封止接合し、温度処理された空気、例えば加熱された空気をブランケット内に入れて、ブランケットを膨らますことができる構成とする。本発明のブランケットでは、実質的に中間部分に開口が設けられている。開口は、一方の部分または他方の部分に重なっていてもよい。中間部分の開口を挟んで両側に、空気入口ポートをそれぞれ設け、操作時に一方の空気入口ポートを空気加温器などの空調ユニットからの空気ホースへの接続に使用し、温度処理された空気を送り込んでブランケットを膨らますことが可能となる。
【０００６】
ブランケット中間部分に対して一方の部分と他方の部分を畳む、あるいは曲げることを容易にするために、ブランケットの長さ方向すなわちその縦軸に直交する、間隔をあけて配された直線状のシール部のセットを、少なくとも２つ中間部分に設けることで、直線状シール部の第１のセットを介して、中間部分に対して一方の部分を曲げる、あるいは畳むことができ、また、直線状シール部の第２のセットを介して、中間部分に対して他方の部分を曲げる、あるいは畳むことができる。一方の部分と他方の部分を中間部分に対して同じ方向に畳むことにより、本発明の下敷き及び上掛け用組合せブランケットは、完全に膨らまされた時の自然形状として、一方の脚が他方の脚より短い逆Ｕ形状の構成になる。換言すると、本発明の対流加温ブランケットは、ポンチョブランケットの形状に構成され、好ましくは、患者の頭部を中間部分の開口に通した時に、ブランケットの短い方の部分が患者の前側を覆い、長い方の部分が患者の後側を覆い、また中間部分が患者の肩に位置する。ブランケットの患者に接触する層に、ブランケット内の加熱された空気などの温度処理された空気を患者に向けて排出する、複数の孔を設ける。
【０００７】
患者の前側を覆う前部の一端を画定するブランケット基端から、ブランケット中間部分の開口まで延在する、破断可能または引裂可能なシール部、またはストリップを設ける。破断可能なシール部により、ブランケット前部を２つの部分や半部に分割されることが可能であり、患者が挿管治療を受けたり、患者の頭部に付加装置が取り付けられたりして、患者の頭部を開口に通すことができない場合に、患者の頭部を越えてブランケットを患者に装着することを可能にする。破断可能なストリップもまた、ブランケット前部の分割を可能にし、患者の上胴前部の露出を可能とする。
【０００８】
したがって、本発明は、膨らませることが可能な構造物であって、中間部分で分けられた一方の部分と他方の部分を有し、前記中間部分に対して前記一方の部分と前記他方の部分とを畳むことができ、それにより、前記一方の部分と前記他方の部分とを同じ方向に前記中間部分から実質的に直角に延在させることが可能な膨らませることが可能な構造物を形成する、外縁に沿って互いに封止接合され、他の位置においても互いに封止接合された２枚のシートを有する下敷き及び上掛け用組合せ対流ブランケットに関する。前記ブランケットは、さらに、前記中間部分に配置されるか、あるいは前記中間部分にオーバーラップするように配置された開口であって、患者の頭部がそこを通るのに十分な寸法を有し、それにより、前記中間部分が実質的に患者の肩に配置され、前記一方の部分が患者の前側に配置され、前記他方の部分が患者の後側に配置されるように構成された開口と、前記構造物を膨張させるために挿入された空気を前記患者に向かって排出するように、前記患者に接触している前記シートに設けられた複数の孔と、を有する。
【０００９】
また本発明は、膨らませることが可能な構造物であって、第１水平端と第２水平端を有し、前記第１水平端と前記第２水平端により縦方向の長さが設定され、さらに前記構造物が第１垂直端と第２垂直端を有し、前記第１垂直端と前記第２垂直端により幅が設定される構造物を有するブランケットにも関する。前記ブランケットは、中間部分を挟む一方の部分と他方の部分を有し、前記一方の部分と前記他方の部分とは、前記中間部分に対して実質的に直交する同じ方向に畳むことができる。実質的に前記中間部分における前記第１垂直端と前記第２垂直端の間の位置にて前記構造物に開口が設けられ、前記開口は患者の頭部がそこを通るのに十分な寸法を有し、前記構造物が、患者の頭部が前記開口から外へと突出するように患者に置かれ、前記中間部分に対して前記一方の部分と前記他方の部分とが畳まれた場合において、前記一方の部分が患者の体の前側の少なくとも一部を覆い、前記他方の部分が患者の体の後側の少なくとも一部を覆う。
【００１０】
さらに本発明は、中間部分を挟んで流体移動可能に接続された一方の部分及び他方の部分を有する、対流加温ブランケットに関する。前記中間部分に対して、前記一方の部分と前記他方の部分とを、前記中間部分に実質的に直交する同じ方向に畳むことが可能である。実質的に前記中間部分に位置する開口を有し、患者の頭部を前記開口に通すことが可能であり、当該ブランケットが、患者の頭部を前記開口に通して患者に配置され、前記一方の部分と前記他方の部分とが同じ方向に折られている時に、当該ブランケットはポンチョの形になるように構成され、前記中間部分は実質的に患者の肩に対して配置され、前記一方の部分と前記他方の部分が少なくとも患者の体の前側と後側の対応する部分を覆う。
【図面の簡単な説明】
【００１１】
下記の図面を用いた本発明の以下の説明により、本発明がより明らかとなり、また本発明が最も良く理解されるであろう。
【図１】畳まれたり、曲げられたりすることなく、完全に延ばされた状態の本発明ブランケットの上側層の平面図である。
【図２】患者と接触する、本発明ブランケットの底側層の平面図である。
【図３】本発明のブランケットの例を示す図であり、ブランケットの前部と後部が、その中間部に対して直交して折られていて、ブランケット前部が患者の胴部前側を覆い、またブランケット後部が患者の後側を覆っている。
【図４】膨らませた本発明のブランケットの前部を示す図であり、前部が２つの半部に分割され、患者の上胴部前側を露出させている。
【発明を実施するための形態】
【００１２】
図１，２に示すように、本発明の上掛け及び下敷き用組合せブランケット２は、上側層またはシート４と、下側または底側層シート６を有する。不透気性の上側シート４及び下側シート６は、それらの外縁部４ａ、６ａ及び他の位置で互いに封止接合される。他の位置での封止接合は、ブランケット２の主部１０における縦シール部８ａ〜８ｄや、ブランケット２の副部１４における縦シール部１２ａ〜１２ｈなどのシール部によりなされる。主部１０と副部１４の間に挟まれた部分は中間部１６であり、縦シール部８ａ〜８ｄ及び縦シール部１２ａ〜１２ｈに対して直交する方向に延在する、シール部１８ａ、１８ｂ、２０ａ、及び２０ｂを有する。説明を平易にするために、シール部１８ａ、１８ｂ、２０ａ、及び２０ｂは水平シール部と称してもよく、また縦シール部８ａ〜８ｄ及び１２ａ〜１２ｈを垂直シール部と称してもよい。部分１０，１４及び１６はそれぞれ別の部分として示されているが、これらの間はオーバーラップしていてもよく、例えば上方部１４と中間部１６の間、また中間部１６と主部１０の間もオーバーラックしてもよい。水平シール部８ａ、１８ｂ、２０ａ、及び２０ｂは、中間部１６に存在する。
【００１３】
本発明のブランケット２において、副部１４と主部１０はそれぞれ患者の前側と後側をカバーすることになるので、副部１４を前部と称してもよく、また主部１０を後部と称してもよい。前部１４、中間部１６、及び後部１０は、ブランケット２の水平基端部４ａ１と水平末端部４ａ２により定められた範囲に存在する。幅方向において、ブランケット２は、垂直端部４ａ３，４ａ４における外縁シール部４，６により画定されている。
【００１４】
ブランケット２において、副部１４と中間部１６のオーバーラップ部分に開口２０を設ける。説明の明瞭化のために、開口２０は、中間部１６に存在しているとしてもよく、あるいは開口２０が実質的に中間部１６に存在しているとしてもよい。ブランケット２の主部１０に、内側シール部４ｂにより封止接合された非膨張部２２を設ける。
【００１５】
ブランケット２には、特に中間部１６において、間隔をあけて並行する水平シール部１８ａと水平シール部２０ａの間に、空気入口ポート２４ａ，２４ｂを設ける。ブランケット２の動作中、空気入口ポート２４ａと２４ｂのうちの一方を使用して、図４に示される空気ホース２５と接続し、空気ホース２５は空気加温器または加熱器など空調ユニット（図示せず）にさらに接続されており、加熱された空気などの温度処理された空気をブランケット２に入れ、ブランケット２を膨らますことができる。
【００１６】
複数の孔２６を下側シート６に設け、ブランケット２に入れられた空気が、これらを介して患者に向かってブランケット２から排出されるように構成する。図２に示されるように、間隔をあけて並べられた孔２６の列を、それぞれ縦シール部８ａ〜８ｄ及び１２ａ〜１２ｈの近傍に設ける。
【００１７】
基端部４ａ１から前部１４を通って開口２０まで沿って延在するように、長さ方向に沿って、複数のスリットまたは穴２８ａを有する、破断可能あるいは引裂可能なシール部の形態のストリップ２８を形成する。シール部２８は、適度な力を加えるとその長さ方向に沿って引裂かれ、図４に示されるように前部１４が２つの部分または半部に分割される。
【００１８】
ブランケット２は平たく延ばした形態で図示されているが、適度に膨らまされた状態では、その自然形状は逆Ｕ形であり、ブランケット２の一方の脚すなわち前部１４は、その他方の脚すなわち後部１０より短い。前部１４と後部１０は、中間部１６に対して実質的に直交する同じ方向に畳むことができ、したがって図２の底側シート６が、図３に示されるように、患者の前側と後側の両方に接触することになる。
【００１９】
図３に示すように、ブランケット２は、患者３０を覆い、ポンチョの形態をとっている。図示の如く、前部１４が患者３０の胴部前側を覆い、患者の頭部３０ａがブランケット２の開口２０から外に出ている。ブランケット２の中間部１６は、前述のように空気入口ポート２４ａと２４ｂを有し、患者３０の肩に位置し、あるいは患者３０の肩の上に位置する。
【００２０】
図４に示すように、ブランケット２が膨らまされた状態にある時、水平シール部１８ａ、１８ｂ、２０ａ、と２０ｂによって、前部１４と後部１０が中間部１６に対して畳まれやすくなる。ブランケット２が膨らまされた状態にある時、温度処理された空気が後部１０と前部１４から患者３０の後側と前側へと出てゆき、患者３０を温める。さらに、図４においては、破断可能なシール部２８が分割されて前部１４が２つの半部に分割されており、これら半部の一方もしくは両方をひっくり返すか、あるいは折り返して、図２に示されるブランケット２の残りの部分と同じ平面にあるようにすると、例えば挿管治療を受ける患者３０の上胴部前側が露出して、患者３０の上胴部に処置を施すことが可能となる。患者３０が挿管治療を受けたり、患者３０の頭部３０ａに付加装置が取り付けられたりして、患者３０の頭部３０ａをブランケット２の開口２０に通すことができない場合に、前部１４が２つに分割できるので、前部１４を分割し、分割された前部１４を容易に患者３０の頭部３０ａを越えて所定位置に着かせることができる。
【００２１】
本発明の下敷き及び上掛け用組合せブランケット２では、患者の上胴部前側が前部１４に覆われた状態で、患者が後部１０の上に横たわることができる。また患者が立っている場合や座っている場合に、一定の熱源を患者に提供するためにブランケット２を使用してもよい。テープやベルクロなどの接着手段を、破断可能なシール部２８に追加することにより、２つの半部に分割された前部１４をこの接着手段により再び結合して一つの部材とすることができる。上記説明における前部１４と後部１０を、それぞれ第１部分と第２部分と称してもよく、あるいは一方の部分と他方の部分と称してもよい。
【００２２】
本発明には多くの変形例、部分的変更例、及び細部の変更例が存在する。本明細書で述べられた全ての事項及び添付図に示された全ての事項は、説明のためだけのものであり、本発明の範囲を限定するものではない。本発明の範囲は、添付の請求項の主旨と範囲によってのみ限定され得る。
【図１】
0005603886.tif 000002
【図２】
0005603886.tif 000003
【図３】
0005603886.tif 000004
【図４】
0005603886.tif 000005